(57)【要約】【課題】光路変換手段が体液等で汚損されたときに、その全周にわたって円滑かつ確実に洗浄除去できるようにする。【解決手段】観察窓５による観察視野を挿入部２の前方とした内視鏡に装着される内視鏡アタッチメント１０は、先端硬質部に嵌合される取付筒１１に支持杆１２が連結されており、この支持杆１２の先端に環状の光路変換手段として、中央に開口部１３ａが形成された裁頭円錐形状の反射ミラー１３が設けられ、この反射ミラー１３に円環状波板１７を積層した反射ミラー積層体１５となし、この反射ミラー積層体１５が汚損されたときに、この反射ミラー積層体１５に向けて洗浄液を噴射させる洗浄液噴射手段として、噴射ノズル１８が先端硬質部２ｃに形成した噴射口８に装着されており、この噴射ノズル１８から噴射される洗浄液によって、反射ミラー１３を回転させる。【選択図】図８
2011188984.tif 000002
【特許請求の範囲】
【請求項１】
遠位方向に向けて洗浄液を噴射する洗浄液噴出手段が挿入部先端に設けられた内視鏡に用いる内視鏡アタッチメントであって、
前記挿入部先端に嵌合される筒状体と、
前記筒状体の遠位側に設けられた光路変換手段と、
前記洗浄液噴射手段から噴射される洗浄液を、前記光路変換手段の全面に波及させる洗浄液波及手段と、
を備えた内視鏡アタッチメント。
【請求項２】
前記光路変換手段は前記挿入部の軸線に対して傾斜した円環状の反射面から構成され、前記内視鏡の観察窓による前方視野は、この光路変換手段の中央開口部から取得されるものであることを特徴とする請求項１記載の内視鏡アタッチメント。
【請求項３】
前記光路変換手段は前記挿入部先端の先端面に近接若しくは離間する方向に変位可能な構成としたことを特徴とする請求項１または請求項２記載の内視鏡アタッチメント。
【請求項４】
前記洗浄液波及手段は前記筒状体に設ける構成としたことを特徴とする請求項１乃至請求項３のいずれかに記載の内視鏡アタッチメント。
【請求項５】
前記洗浄液波及手段は、前記挿入部先端に設けた処置具挿通路に着脱可能に装着する構成としたことを特徴とする請求項１乃至請求項３のいずれかに記載の内視鏡アタッチメント。
【請求項６】
前記光路変換手段は前記挿入部の軸線を中心として回転可能に設けられており、前記洗浄液波及手段は前記洗浄液噴出手段から噴出された洗浄液の液圧によって前記光路変換手段を回転動作させる構成としたことを特徴とする請求項１乃至請求項５のいずれかに記載の内視鏡アタッチメント。
【請求項７】
前記洗浄液波及手段は、前記洗浄液噴射手段に旋回可能に設けられた噴射ノズルであることを特徴とする請求項１乃至請求項５のいずれかに記載の内視鏡アタッチメント。
【請求項８】
前記洗浄液波及手段は、前記洗浄液噴射手段に流体連通して設けられ、所定のピッチ間隔をもって円環状に配置された噴射口であることを特徴とする請求項１乃至請求項５のいずれかに記載の内視鏡アタッチメント。
【発明の詳細な説明】
【技術分野】
【０００１】
本発明は、内視鏡の挿入部の先端硬質部に、この挿入部の前方に向けた視野を有する直視内視鏡に装着されて、観察窓からの観察視野方向を前方だけでなく、側方も視野とするために、先端硬質部に装着される内視鏡アタッチメントに関するものである。
【背景技術】
【０００２】
内視鏡において、複雑に曲がったり、拡縮したりしている大腸内壁内に挿入部を挿入して、この大腸内壁壁の観察を行う内視鏡、例えば大腸鏡にあっては、挿入部の先端部を微細に操作しながら慎重に挿入操作する必要がある。このために、観察視野が前方に向いた直視内視鏡が用いられる。ただし、観察を行う対象は大腸内壁の管壁である場合には、挿入部の軸線と概略直交する方向を観察視野内に収めなければならない。このために、直視内視鏡における挿入部の先端に設けられる観察機構の対物レンズとしては、広角レンズを用いて、視野範囲を広げるようにするが、レンズで視野範囲を広げるのには限界があり、また周辺部は収差が大きい等の理由で、より精査する必要のある体腔壁について、十分鮮明な画像を取得することはできない。
【０００３】
以上の点を考慮して、特許文献１に、直視内視鏡の挿入部の先端硬質部に着脱可能に装着できる内視鏡アタッチメントが開示されている。この内視鏡アタッチメントは、中央部が開口したリング形状の凸型ミラーを支持棒の先端に連結し、この支持棒の基端部を筒状体に連結したものからなり、この筒状体を先端硬質部に対して前後動可能に嵌合させるように組み付けられるものである。従って、凸型ミラーの中央開口部から前方視野が得られ、また凸型ミラーは光路変換手段であって、この凸型ミラーに反射する側方の視野が得られる。そして、筒状体を先端硬質部に対して軸線方向に摺動させることによって、凸型ミラーの先端硬質部からの突出高さが変化することになる。凸型ミラーを前方に移動させると、この凸型ミラーによる側方視野が広くなり、凸型ミラーを先端硬質部に近接する方向に変位させると、前方視野の視野角が大きくなる。
【先行技術文献】
【特許文献】
【０００４】
【特許文献１】特開２００８−１８８３３２号公報
【発明の概要】
【発明が解決しようとする課題】
【０００５】
ところで、内視鏡による体腔内の観察時に、観察窓の表面に体液等の汚損物が付着していると、観察視界が悪くなるので、この観察窓を洗浄する必要がある。この観察窓の洗浄を行うために、先端硬質部には、観察窓に向けて洗浄流体噴射ノズルが設けられており、この洗浄流体噴射ノズルから噴射される洗浄用流体によって、観察窓の汚損物を除去するように構成している。
【０００６】
観察窓が清浄な状態となれば、前方視野は良好になるものの、光路変換手段として、凸型ミラーが設けられており、この凸型ミラーは円環状に形成されている。そして、この凸型ミラーの表面に前述したような汚損物が付着した場合にも、観察視野、特に側方視野の視界が悪くなってしまう。しかしながら、前述した特許文献１においては、このように円環状に形成されている凸型ミラーを洗浄する機構が設けられておらず、また洗浄流体噴射ノズルの洗浄用流体の噴射方向は凸型ミラーには向けられていないので、観察中における側方視野の悪化に対する改善を行うことができないという問題点がある。
【０００７】
本発明は以上の点に鑑みてなされたものであって、その目的とするところは、光路変換手段が体液等で汚損されたときに、その全周にわたって円滑かつ確実に洗浄除去できるようにすることにある。
【課題を解決するための手段】
【０００８】
前述した目的を達成するために、本発明は、遠位方向に向けて洗浄液を噴射する洗浄液噴出手段が挿入部先端に設けられた内視鏡に用いる内視鏡アタッチメントであって、前記挿入部先端に嵌合される筒状体と、前記筒状体の遠位側に設けられた光路変換手段と、前記洗浄液噴射手段から噴射される洗浄液を、前記光路変換手段の全面に波及させる洗浄液波及手段とを備える構成としたことをその特徴とするものである。
【０００９】
光路変換手段は挿入部の軸線に対して傾斜した円環状の反射面から構成されるものである。内視鏡アタッチメントを挿入部の先端に装着したときには、観察窓による前方視野は光路変換手段の中央開口部から取得され、また側方視野は光路変換手段の反射面から取得される。従って、反射面の幅寸法により前方視野と側方視野との比率が決定される。また、反射面における挿入部の軸線に対する傾斜角によって、側方視野における方向が決定される。この光路変換手段は先端硬質部に固定的に設けることもできるが、その先端面に近接・離間する方向に変位可能な構成とすることもできる。このように、光路変換手段を先端硬質部に対して前後動できるように構成すると、光路変換手段を先端硬質部に近接させたときには、前方視野が広くなるが、側方視野が実質的に得られなくなる。また、光路変換手段を先端硬質部から離間させると、前方視野が狭くなり、側方視野が得られる。そして、光路変換手段を構成する反射面は反射ミラーやプリズム等で構成することができる。
【００１０】
次に、洗浄液波及手段は、洗浄液噴射手段から噴射された洗浄液を広い範囲に波及させて、実質的に円環状に形成した光路変換手段のほぼ全面にわたって洗浄液と接触させるものである。ここで、洗浄液は光路変換手段の全面に隈なく及ぼすことが必須のものではなく、体腔内の観察に支障をきたさない程度であれば、多少の洗浄むらがあっても差し支えない。
【発明の効果】
【００１１】
以上のように構成することによって、光路変換手段が体液等で汚損されたときに、その全面にわたって円滑かつ確実に洗浄除去できる。
【図面の簡単な説明】
【００１２】
【図１】内視鏡アタッチメントと共に示す内視鏡の全体構成図である。
【図２】内視鏡の挿入部における先端硬質部の先端面の外観図である。
【図３】内視鏡アタッチメントの正面図である。
【図４】図３のＸ−Ｘ断面図である。
【図５】内視鏡アタッチメントの縦断面図である。
【図６】光路変換手段としての反射ミラーとプリズムとを示す構成説明図である。
【図７】光路変換手段を軸線方向に移動可能な構成とした内視鏡アタッチメントの断面図である。
【図８】本発明の第１の実施の形態を示す内視鏡アタッチメントであって、その光路変換手段を軸回りに回転可能とした構成を示す断面図である。
【図９】図８の光路変換手段を構成する反射ミラー積層体の外観図である。
【図１０】図８の光路変換手段における図９の反射ミラー積層体を回転させるための噴射ノズルの外観図である。
【図１１】反射ミラー積層体の他の例を示す要部構成図である。
【図１２】図１０とは異なる噴射ノズルの外観図である。
【図１３】図１２の噴射ノズルを用いて、噴射口から噴射される洗浄液を斜分流と直分流とに分ける構成としたときの反射ミラー積層体の構成を示す内視鏡アタッチメントの平面図である。
【図１４】本発明の第２の実施の形態を示す内視鏡アタッチメントの構成部材としての取付筒の外観図である。
【図１５】図１４の取付筒に装着される光路変換部材の外観図である。
【図１６】図１４の取付筒と、図１５の光路変換部材とを組み込んだ内視鏡アタッチメントの外観図である。
【図１７】本発明の第３の実施の形態を示すものであって、反射ミラーに洗浄液を供給する旋回式ノズルとその保持リングとを分離した状態の外観図である。
【図１８】旋回式ノズルと保持リングを組み付けた状態での図１７の縦断面図である。
【図１９】旋回式ノズルを装着可能とした洗浄液供給装置ユニットの正面図である。
【図２０】本発明の第４の実施の形態を示すものであって、反射ミラーに洗浄液を供給するシャワーヘッドの外観図である。
【図２１】図２０のシャワーヘッドの変形例である。
【発明を実施するための形態】
【００１３】
以下、図面に基づいて本発明の実施の形態について説明する。まず、内視鏡は、図１に示したように、本体操作部１に被検者の体腔内に挿入される挿入部２を連結して設けたものであり、また本体操作部１からはユニバーサルコード３が引き出されている。
【００１４】
挿入部２は、本体操作部１への連結側（近位側）から所定の長さ分は軟性部２ａで、この軟性部２ａの先端（遠位側）には湾曲部２ｂが連結されており、また湾曲部２ｂの先端には先端硬質部２ｃが設けられている。先端硬質部２ｃの先端面には、図２に示したように、少なくとも照明窓４と観察窓５とが形成されており、また処置具導出口６が開口し、さらに観察窓５に向けては洗浄用流体を噴出させる洗浄ノズル７が装着されている。洗浄ノズル７からは洗浄用流体が観察窓５の表面に沿って流されるものであり、さらに挿入部２の前方に向けて液体を噴射させる噴射口８が設けられている。この噴射口８が洗浄液噴射手段を構成する部材である。
【００１５】
観察窓５は、先端硬質部２ｃの先端面における中央部若しくは中央近傍部に配設されており、この観察窓５の左右両側の位置に照明窓４，４が設けられている。従って、この内視鏡では、観察窓５の前方を観察視野とした直視内視鏡である。そして、処置具導出口６からは前方に向けて処置具を導出させるが、処置具は本体操作部１に形成した処置具導入部９から導入され、本体操作部１から挿入部２の全長に及ぶようにして処置具挿通路（図示せず）が設けられる。
【００１６】
直視内視鏡にあっては、挿入部２の軸線方向の観察を良好に行えるものの、観察窓５に設けられる対物レンズは、広角レンズを使用したとしても、側方の視野は実質的に得られないか、側方を観察できるにしても、必ずしも鮮明な観察像を得ることはできない。例えば、大腸鏡として構成した場合には、挿入部２の挿入操作を円滑に行うために、挿入部２の前方を観察視野とするが、大腸内壁を観察視野とする場合、特に大腸内壁にある襞の裏側の画像を得るのが困難な場合がある。
【００１７】
以上のことから、挿入部２の先端硬質部２ｃに内視鏡アタッチメント１０を装着する構成としている。この内視鏡アタッチメント１０は、図３乃至図５に示したように、筒状体としての取付筒１１と、この取付筒１１に立設した支持杆１２と、この支持杆１２の先端に設けた反射ミラー１３とから構成されている。
【００１８】
図３及び図４から明らかなように、取付筒１１はリング状の部材であって、先端硬質部２ｃの外周部に嵌合されるようになっている。支持杆１２は取付筒１１の先端から、複数本、図示したものにあっては４本立設されている。この支持杆１２は光路変換手段を構成する反射ミラー１３を観察窓５が設けられている先端硬質部２ｃの先端面から離間させるためのものである。反射ミラー１３は、挿入部２の先端硬質部２ｃの先端面に設けられ、挿入部２の前方を観察視野とする観察窓５から側方の観察を行うためのものである。支持杆１２は反射ミラー１３を介しての観察窓５への入射光を遮断することになるので、この支持杆１２は必要最小限の本数とし、また強度的に差支えのない範囲でできるだけ細くする。
【００１９】
反射ミラー１３は、挿入部２の側方の観察を行うために設けられ、挿入部２が大腸内壁内に挿入されたときに、先端硬質部２ｃが位置している部位の周囲を観察するためであり、この反射ミラー１３が光路変換手段である。これによって、観察窓５を介して側方像を撮像することができる。そして、図４に示したように、反射ミラー１３は平面視状態では中央に開口部１３ａが形成された円環状の部材である。従って、観察窓５によって、挿入部２の前方を観察することもできる。ここで、取付筒１１を先端硬質部２ｃに嵌合させたときに、先端硬質部２ｃのうち、観察窓５はこの開口部１３ａの範囲内に位置させ、特に開口部１３ａの中心と観察窓５の中心とは同一または近接した位置に配置する。これによって、図５に示したように、観察窓５では、その中央部分が前方のＦで示した角度範囲の前方視野が得られ、周辺部では幅Ｂ分となった円環状の側方視野が得られることになる。
【００２０】
挿入部２の側方を観察する反射ミラー１３は、先端部分を切断した円錐面形状、つまり裁頭円錐面形状とする。ここで、図６（ａ）で示したように、この円錐面の挿入部２の軸線Ａに対する傾斜角度θは９０度以下とし、かつ４５度より大きい角度とする。そして、反射ミラー１３は円錐面を先端硬質部２ｃと対面する側に向けて凸となる湾曲形状となっており、この凸側の面が内面側を向いた反射面であり、この曲面によりレンズ効果を持たせることができる。この反射ミラー１３の内面に対して観察窓５が対面し、もって側方の広い視野が得られる。また、光路変換手段としては、反射ミラー１３に代えて、図６（ｂ）に示したプリズム１１３により構成することもできる。このプリズム１１３は、その面１１３ａを全反射面とする。ここで、このプリズム１１３を用いる場合には、図示した反射面１１３ａは真っ直ぐな円錐面としているが、レンズ効果を持たせるために、凸湾曲形状とすることもできる。
【００２１】
ここで、反射ミラー１３であれ、またプリズム１１３であれ、挿入部２の挿入操作を行っているときには、前方視野を広くし、また体腔内壁の検査を行う際には、側方視野を広くすることが望ましい。このためには、内視鏡アタッチメントを図７に符号２１０で示した構成とすることができる。即ち、この内視鏡アタッチメント２１０では光路変換手段を構成する反射ミラー２１３を支持部材２１２の先端に設けるが、この支持部材２１２は、反射ミラー２１３を支持する複数本の支持杆部２１２ａと、この支持杆部２１２ａの基端部に連結したスライド筒２１２ｂとから構成する。スライド筒２１２ｂは取付筒２１１に対して制限されたストローク範囲において前後方向に移動可能に装着されている。このために、ホルダ筒２１１の外面には、このスライド筒２１２ｂの往復ストローク端を規制するために、前後方向の中間部に小径部２００が形成されており、この小径部２００の軸線方向における両側の端部の立ち上がり壁２０１，２０２が形成されている。一方、スライド筒２１２ｂの内面には小径部２００に入り込むようにしてストッパ部２０３が設けられている。
【００２２】
以上のように構成することによって、スライド筒２１２ｂは、そのストッパ部２０３が立ち上がり壁２０１に当接すると、反射ミラー２１３が突出位置となって、側方視野が広くなる。また、反対側の立ち上がり壁２０２に当接する位置になると、反射ミラー２１３が退入位置となり、前方視野が広くなる。スライド筒２１２ｂを前後方向に往復移動させるために、このスライド筒２１２ｂが突出する方向に付勢するコイルばね２０４が弾装されており、またこのコイルばね２０４の付勢力に抗して縮小位置方向に移動させるために、操作紐２０５が取り付けられている。この操作紐２０５は挿入部２に沿って本体操作部１の部位にまで延在されており、この操作紐２０５を引っ張ることによって、スライド筒２１２ｂは退入位置に変位することになる。
【００２３】
このように、内視鏡の挿入部２における先端硬質部２ｃに内視鏡アタッチメント１０または２１０を設けることによって、観察窓５からは前方視野からの画像と、側方視野からの画像とが取得される。これによって、内視鏡の挿入部２を大腸内壁に沿って挿入する操作時には、操作紐２０５を引っ張って、スライド筒２１２に連結した反射ミラー２１３を先端硬質部２ｃ側に引き込むことによって、観察窓５の視野は前方に向けられる。また、挿入部２が所定の位置まで挿入されると、コイルばね２０４の作用により反射ミラー２１３を突出させれば、反射ミラー２１３から観察窓５への側方画像が取り込まれるようになって、大腸内壁の内壁を観察視野に収めることができるようになり、特に消化器内視鏡としての大腸鏡として好適に用いることができる構成することができる。
【００２４】
内視鏡を体腔内に挿入したときに、観察窓５が体液等により汚損されることがあり、このときには洗浄ノズル７から洗浄用流体を噴射させて、観察窓５の洗浄を行うことによって、体腔内の鮮明な観察を行うことができる。また、先端硬質部２ｃの周囲の画像は反射ミラー１３で反射して観察窓５に取り込まれることから、観察窓５が清浄化されても、反射ミラー１３に汚損物が付着していると、その部位からの反射が得られないので、画像に欠落箇所が生じることになる。そこで、この反射ミラー１３が体液等で汚損されたときには、この汚損物を洗い流すようにしている。このためには、反射ミラー１３の反射面に向けて洗浄液を噴射させる洗浄液噴射手段を備えており、しかもこの洗浄液噴射手段から噴射される洗浄液を円環状となった反射ミラー１３の全面に波及させるための洗浄液波及手段とを備える構成としている。
【００２５】
このためには、図８に示したように、内視鏡アタッチメント１０において、反射ミラー１３を支持杆１２に挿入部２の軸回りに回転可能に取り付ける構成とする。そこで、支持杆１２の先端に円環状に形成したホルダ枠１４を固定して設け、このホルダ枠１４には内面側に円環状凹溝１４ａが形成される。そして、反射ミラー１３の外周縁部にはフランジ部１３ｂを設けて、このフランジ部１３ｂをホルダ枠１４の円環状凹溝１４ａに挿嵌させている。ここで、反射ミラー１３は、後述する円環状波板１７と共に反射ミラー積層体１５を構成するものであり、この反射ミラー積層体１５に対して、洗浄液を噴射させ、この噴射する洗浄液により反射ミラー１３に回転力を作用させる。先端硬質部２ｃの先端面には、前方に向けて流体を噴射する噴射口８が開口しており、この噴射口８には本体操作部１から挿入部２内に向けて設けた噴射通路が接続されている。従って、この噴射口８から洗浄液を噴射させて、反射ミラー積層体１５に吹き付けられる。なお、噴射口８からは洗浄液だけでなく、洗浄液と共に加圧エアを噴射するように構成することもできる。
【００２６】
噴射口８から噴射される洗浄液によって反射ミラー１３を回転駆動するために、図９に示したように、反射ミラー１３の内面に円環状波板１７が固着して設けることによって反射ミラー積層体１５が構成される。この円環状波板１７は透明部材からなり、回転方向に向けて斜めに立ち上がる斜面部１７ａと、反射ミラー１３に向けて垂直に立ち下がる鉛直面１７ｂとが繰り返される構成となっている。そして、噴射口８からの洗浄液の噴射を鉛直面１７ｂの方向に向けることによって、反射ミラー１３を回転駆動することができるようになる。そして、噴射口８には、噴射方向を斜め方向に導くために、図１０に示した噴射ノズル１８が装着されることになる。噴射ノズル１８は曲げパイプからなり、噴射口８に所定長さ分だけ挿入され、曲った部位が先端硬質部２ｃから突出している。この噴射ノズル１８には保持アーム１９が連結され、保持アーム１９の他端部には固定用板体２０が連結して設けられている。そして、この固定用板体２０は取付筒１１の先端部に固定される。
【００２７】
以上のように構成することによって、反射ミラー積層体１５の表面を構成する円環状波板１７が汚損されたときには、噴射口８から噴射ノズル１８を介して洗浄液を噴射させることによって、汚損物が除去される。このときに、反射ミラー積層体１５が挿入部２の軸回りに回転駆動される。即ち、噴射ノズル１８から噴射される洗浄液は円環状波板１７の斜面部１７ａに沿って流れて、鉛直面１７ｂに衝突することになる。このように、洗浄液の斜面部１７ａの表面に沿った流れにより円環状波板１７が洗浄され、かつ洗浄液の鉛直面１７ｂへの衝突によって、反射ミラー１３の外周部に設けたフランジ部１３ｂがホルダ枠１４の円環状凹溝１４ａに沿ってスライドするようにして回転することになる。その結果、反射ミラー積層体１５の円環状波板１７の全面に洗浄液が波及することになり、全面洗浄される。また、この円環状波板１７の表面に洗浄液の液滴が残存する場合には、噴射ノズル１８から加圧エアを噴出させて、液滴をパージさせる。勿論、このときも反射ミラー積層体１５は回転することになって、全面に液滴パージ用の加圧エアが供給される。
【００２８】
以上のように、円環状波板１７が噴射ノズル１８から噴射される洗浄液を反射ミラー積層体１５の全面に波及させる洗浄液波及手段が構成される。ここで、図１１に示したように、反射ミラー１３に円周方向に所定のピッチ間隔をもって傾斜フィン部２１ａを植設した反射ミラー積層体２１から構成することによっても、洗浄液の噴射圧で反射ミラー１３の回転駆動を行うことができて、反射ミラー積層体２１のほぼ全面に洗浄液を波及させることができる。
【００２９】
また、洗浄液噴射手段の構成としては、噴射ノズル１８に代えて、図１２に示した分流部材２２を噴射口８に装着する構成としても良い。この場合には、噴射口８には分流部材２２の尖端部が挿入され、この尖端部から一側の面が傾斜面２２ａとなり、他側面は鉛直面２２ｂとなっている。このように構成した分流部材２２を噴射口８に装着すると、この噴射口８から噴射される洗浄液は傾斜面２２ａに沿った斜分流と、鉛直面２２ｂに沿った直分流とに分かれる。これによって、斜分流で反射ミラー積層体１５を回転させながら、その洗浄を行うと共に、直分流により体腔内壁を洗浄できるようになる。そして、直分流が確実に体腔内壁に向けて噴射されるようにするには、図１３に示したように、反射ミラー積層体１５´の内周面にＶ字状の切り欠き２３を円周方向に並ぶように設ける。そして、切り欠き２３の深さ、つまり谷部の頂部は噴射口８のほぼ中間位置となる寸法となし、かつ噴射口８の直径ｄを切り欠き２３のピッチ間隔ｐの寸法の１／２より大きくするのが望ましい。なお、図１２における分流部材２２にも、噴射ノズル１８と同様、保持アーム２４が連結され、保持アーム１９の他端部には固定用板体２５が連結して設けられている。
【００３０】
次に、図１４乃至図１６に示したように、内視鏡アタッチメント３１０を取付筒３１１と、光路変換手段３００とから構成すると、この光路変換手段３００全体を回転駆動することができ、洗浄液波及手段として機能する。即ち、図１４に示したように、取付筒３１１には、その外周面には、ガイド溝３０１が形成されており、このガイド溝３０１は、緩斜面溝部３０２と、この緩斜面溝部３０２の上端位置から急激に下降する急斜面溝部３０３とから構成する。そして、急斜面溝部３０３の下端部と緩斜面溝部３０２の下端部とは取付筒３１１を１周した位置で連結されている。さらに、取付筒３１１には導入溝３０４が形成されており、この導入溝３０４は取付筒３１１の下端部からガイド溝３０１と連通する位置まで形成されている。さらに、取付筒３１１の上端部には所定幅を有するフランジ部３１１ａが形成されている。
【００３１】
一方、光路変換手段３００は、図１５に示したように、スライド筒３１２と、このスライド筒３１２に立設した複数本の支持杆３１３と、この支持杆３１３の先端部に固定的に連結した反射ミラー３１４とを有するものであり、スライド筒３１２は取付筒３１１に嵌合されるようになっている。そして、スライド筒３１２の内面には、ガイド溝３０１に係合する駆動ピン３０５が設けられている。この駆動ピン３０５の外径はガイド溝３０１の溝幅より小さい寸法を有するものである。さらに、スライド筒３１２の上端部には板ばね等から構成される付勢部材３０６が設けられており、この付勢部材３０６は取付筒３１１におけるフランジ部３１１ａの下面と当接している。従って、この付勢部材３０６によって、光路変換手段３００全体が取付筒３１１に引き込まれる方向に付勢されるようになっている。
【００３２】
以上のように構成することによって、図１６に示したように、取付筒３１１と光路変換手段３００とを組み付けることによって、内視鏡アタッチメント３１０が構成され、この内視鏡アタッチメント３１０は、反射ミラー３１４には円環状波板１７や傾斜フィン部２１のようなものを設けなくても、また噴射口８に特殊なノズルを装着することなく、噴射口８から洗浄液を直噴させることによって、光路変換手段３００の全体を回転させて、反射ミラー３１４の全面にわたった洗浄液を波及させることができる。
【００３３】
内視鏡アタッチメント３１０を組み付けるには、取付筒３１１をスライド筒３１２内に挿入して、駆動ピン３０５をガイド溝３０１に係合させる。この状態で、取付筒３１１を挿入部２の先端硬質部２ｃに嵌合させるように組み付ける。ここで、反射ミラー３１４を支持杆３１３に対して着脱可能な構成とすることによって、取付筒３１１を上方側からスライド筒３１２に嵌合させて、導入溝３０４と駆動ピン３０５と一致させる。その後に反射ミラー３１４を支持杆３１３に連結するように組み付けられる。そして、このようにして組み立てた内視鏡アタッチメント３１０は、取付筒３１１を先端硬質部２ｃに嵌合させるようにする。
【００３４】
噴射口８から洗浄液を高圧噴射すると、洗浄液は反射ミラー３１４に衝突して、反射ミラー３１４に液圧が作用することによって、スライド筒３１２は取付筒３１１から突出する方向に押圧される。このときには、駆動ピン３０５はガイド溝３０１の緩斜面溝部３０２に沿って移動することになり、スライド筒３１２は取付筒３１１から突出することになる。そして、このときには付勢部材３０６が取付筒３１１のフランジ部３１１ａに圧接されて、付勢力が蓄積される。駆動ピン３０５がガイド溝３０１における緩斜面溝部３０２の上端部と急斜面溝部３０３との連結部に至ると、それ以上はスライド筒３１２が取付筒３１１から突出することはない。
【００３５】
この状態で、噴射口８から噴射される洗浄液の圧力を低下させると、付勢部材３０６の付勢力によりスライド筒３１２が取付筒３１１の下方に向けて引き込まれるようになる。駆動ピン３０５はガイド溝３０１に係合しているので、駆動ピン３０５は傾斜の急激な急斜面溝部３０３に沿って、しかもガイド溝３０１の溝幅の両側壁のうちの上方側の壁に沿ってガイドされる。その結果、先端に反射ミラー３１４を設けたスライド筒３１２が１回転分だけ回転駆動される。この間に洗浄液の噴射が継続されているので、反射ミラー３１４が洗浄される。
【００３６】
駆動ピン３０５がガイド溝３０１の急斜面溝部３０３の下端部まで移動すると、駆動ピン３０５がガイド溝３０１のうち、下降する方向にガイドされる壁面が存在しなくなるので、その位置で回転は停止する。この間に噴射口８から洗浄液を噴射すれば、洗浄液は反射ミラー３１４の全面に波及することになる。そして、この状態で、反射ミラー３１４の汚損物が除去されておれば、噴射口８からの洗浄液の噴射を中止する。ただし、反射ミラー３１４の内面に汚損物が残存している場合には、再び噴射口８からの洗浄液の噴射圧力を高くする。これによって、スライド筒３１２が取付筒３１１から突出する方向に移動し、駆動ピン３０５は緩斜面溝部３０２に沿って移動する。また、この間に付勢部材３０６に付勢力が蓄積され、駆動ピン３０５が緩斜面溝部３０２の上端部まで移動する。そして、洗浄液の噴射圧力を低下させると、スライド筒３１２はもう１回転することになる。
【００３７】
洗浄液波及手段としては、前述したように、反射ミラーを回転させるように構成されるが、旋回式のノズルによっても、洗浄液を反射ミラーの全面に波及させる洗浄液波及手段を構成することができる。即ち、図１７及び図１８に示したように、旋回式ノズル４００を構成することになる。この旋回式ノズル４００は、一端側が大径のノズル本体部４０１となっており、中間部には縮径部４０２が形成されており、また他端部は拡径された旋回駆動部４０３となっている。ノズル本体４０１の内部には液室４０４が形成されており、かつその周胴部には液室４０４に開口する２本の噴出パイプ４０５，４０６が取り付けられている。また、旋回式ノズル４００の旋回駆動部４０３は傾斜フィン４０７を円周方向に所定のピッチ間隔毎に配列されており、中央部分には洗浄液導入路４０８が設けられる。なお、洗浄液導入路４０８の開口端側はテーパ状に拡開しており、傾斜フィン４０７はこの拡開部分の壁面に取り付けられている。
【００３８】
以上の構成を有する旋回式ノズル４００には、その縮径部４０２の部位に保持リング４０９が嵌合されており、これによって、旋回式ノズル４００全体が保持リング４０９の内部で回転可能となっている。この旋回式ノズル４００には、２本の噴出パイプ４０５，４０６が装着されているが、これらの噴出パイプ４０５，４０６は異なる角度と長さとなっており、従って両噴出パイプ４０５，４０６から噴射される洗浄液の到達する範囲は異なるものとなる。
【００３９】
旋回式ノズル４００を囲繞する保持リング４０９は、先端硬質部２ｃに設けた噴射口８に装着される。そして、噴射口８に洗浄液を高圧状態で供給したときに、この洗浄液の流れが傾斜フィン４０７に作用して、旋回式ノズル４００が軸回りに回転することになる。しかも、洗浄液は液室４０４に流入するから、噴出パイプ４０５，４０６から噴出することになる。その結果、反射ミラーを回転駆動するのではなく、噴出パイプ４０５，４０６の旋回により、洗浄液を全面に波及するように噴射することで、反射ミラーの内面に洗浄液が供給され、しかも噴出パイプ４０５，４０６の角度や長さを適宜設定することによって、反射ミラーの全面にわたって洗浄液を及ぼすことができる。
【００４０】
旋回式ノズル４００は、噴射口８に装着することもできるが、図１９に示したように、シリンジ５００に接続した可撓チューブ５０１の先端に設けた連結部５０２に固定するように構成した洗浄液供給装置ユニット５０３を用いることもできる。この洗浄液供給装置ユニット５０３は、可撓チューブ５０１を本体操作部１に設けた処置具導入部９に挿入して、挿入部２の先端硬質部２ｃに開口させた処置具導出口６から導出させるようにして内視鏡に組み付けることができる。そして、可撓チューブ５０１の先端に旋回式ノズル４００を連結するが、この可撓チューブ５０１の基端部に連結したシリンジ５００は、本体操作部１において、処置具導入部９から外部に導出させることによって、洗浄液の圧送を行うことができる。
【００４１】
洗浄液波及手段としては、さらに洗浄液を拡散噴射させることによって、反射ミラー１３を固定的に保持し、しかも旋回式ノズルを用いることなく反射ミラー１３の全面に波及するように洗浄液を噴射させることができる。この洗浄液波及手段は、図２０または図２１に示したようなシャワーヘッド６０１または６０２から構成したものである。図２０のシャワーヘッド６０１は凸曲面形状のものであり、その表面部に円周方向に所定のピッチ間隔をもって噴射孔６０１ａを穿設したものである。また、図２１に示したシャワーヘッド６０２は先端が平坦面となっており、この平坦面に所定数の噴射孔６０２ａを円形に配置する構成としたものである。そして、噴射孔６０１ａであっても、また噴射孔６０２ａであっても、斜め方向に広がるようにして洗浄液が噴射されるように、斜め方向に穿設して、孔径はある程度小さくする。
【００４２】
シャワーヘッド６０１を用いるにしろ、またシャワーヘッド６０２を用いるにしろ、洗浄液供給装置ユニット５０３における可撓チューブ５０１の先端に設けた連結部５０２に装着するようにすることができる。そして、この状態で処置具導入部９から処置具挿通路を通って処置具導出口６からシャワーヘッド６０１または６０２を導出させて、適宜の固定手段により固定的に保持させる。このように構成することによって、反射ミラー１３を効率的に洗浄できるようになる。
【符号の説明】
【００４３】
１  本体操作部                    ２  挿入部
２ａ  軟性部                      ２ｂ  湾曲部
２ｃ  先端硬質部                  ４  照明窓
５  観察窓                        ８  噴射口
１０，２１０，３１０  内視鏡アタッチメント
１１，２１１，３１１  取付筒
１２，２１２，３１３  支持杆
１３，２１３，３１３  反射ミラー
１５，１５´  反射ミラー積層体
１８  噴射ノズル                  ２２  分流部材
３００  光路変換手段              ３０１  ガイド溝
３０２  緩斜面溝部                ３０３  急斜面溝部
４００  旋回式ノズル              ４０４  液質
４０５，４０６  噴出パイプ        ５００  シリンジ
５０１  可撓チューブ              ５０３  洗浄液供給装置ユニット
６０１，６０２  シャワーヘッド    ６０１ａ，６０２ａ  噴射孔
【図１】
2011188984.tif 000003
【図２】
2011188984.tif 000004
【図３】
2011188984.tif 000005
【図４】
2011188984.tif 000006
【図５】
2011188984.tif 000007
【図６】
2011188984.tif 000008
【図７】
2011188984.tif 000009
【図８】
2011188984.tif 000010
【図９】
2011188984.tif 000011
【図１０】
2011188984.tif 000012
【図１１】
2011188984.tif 000013
【図１２】
2011188984.tif 000014
【図１３】
2011188984.tif 000015
【図１４】
2011188984.tif 000016
【図１５】
2011188984.tif 000017
【図１６】
2011188984.tif 000018
【図１７】
2011188984.tif 000019
【図１８】
2011188984.tif 000020
【図１９】
2011188984.tif 000021
【図２０】
2011188984.tif 000022
【図２１】
2011188984.tif 000023